(57)【特許請求の範囲】
【請求項１】
画像および音声を出力する電子機器において、
記録された画像及び音声を再生する再生手段を有する電子機器本体と、
前記電子機器本体に設けられ画像及び音声に対する操作を行う操作手段と、
前記再生手段で再生された画像を表示するための表示手段と、
前記前記電子機器本体または表示手段に設けられた第１、第２の音声出力手段と、
前記電子機器本体に対して前記表示手段を開閉及びヒンジ部を中心として１８０度回転を可能にする２軸の支持手段と、
前記表示手段が電子機器本体に対して収納状態から開かれたことを検出する開閉検出手段
と、
所定角度以上前記表示手段が回転したことを検出する回転検出手段と、
前記開閉検出手段によって前記表示手段が開かれたことを検出した後、
前記回転検出手段によって前記表示手段の回転動作が検出された場合には、
前記第１、第２の音声出力手段に対する音声信号の出力先の切換えを制御する制御手段と、
前記回転検出手段によって前記表示手段の回転動作が検出された場合には、前記表示手段の画像の反転表示を行う表示処理手段とを有することを特徴とする電子機器。
【請求項２】
請求項１において、前記制御手段は、前記表示手段による画像の反転処理と、前記第１、第２の音声出力手段に対する音声信号の出力先の切換えとを同期するように制御することを特徴とする電子機器。
【請求項３】
請求項１において、前記第１、第２の音声出力手段は、ＬｃｈおよびＲｃｈのステレオスピーカであり、前記制御手段は前記ＬｃｈおよびＲｃｈのステレオスピーカに対する出力先を交換することを特徴とする電子機器。
【発明の詳細な説明】
【０００１】
【発明の属する技術分野】
本発明は、例えば、ビデオカメラやノート型パーソナルコンピュータなどに用いられて好適であり、装置本体に対して可動する表示部およびスピーカなどの音声出力部を有する電子機器に関するものである。
【０００２】
【従来の技術】
電子機器の一例として、市場に普及しているビデオカメラには、撮像画像を表示するための表示する液晶ディスプレイなどによって構成された画像表示部が備えられている。そして、この画像表示部は、撮影者がアングル撮影を行ったり、あるいは被写体に対しても撮影画像を確認したりすることができるように、本体に対して回動可能な機構が設けられている。
【０００３】
そして、このような回動可能な画像表示部を有するビデオカメラには、この画像表示部の回転動作によって表示される画像が逆さまにならないように、回転角度に応じて画像表示部に表示される画像信号の上下を反転する反転処理が電気的に行われている。
【０００４】
また、画像表示部にカメラが設置されている電子機器が普及している。
【０００５】
【発明が解決しようとする課題】
また、市場のニーズとして、画像の高画質化のみにとどまらず、画像の撮像とともに記録される音声の質の向上が望まれており、それに応えるためステレオで録音されるビデオカメラが普及している。
【０００６】
しかしながら、上述したような回動可能な画像表示部を有するビデオカメラにおいて、画像の再生に伴って音声もステレオで出力する場合、上述した画像信号の反転によってステレオ音声の出力が画像と一致しない不具合が発生する。
【０００７】
また、画像表示部にカメラが設置されている場合、画像表示部の回動動作によってカメラが目的とする撮影が行うことができない状態が生じることがあり、この場合、画像表示部に表示される画像は見苦しいものとなる。そして、そのときのカメラの撮像動作のために消費される電力も無駄なものとなってしまう。
【０００８】
本願発明は上述した課題を解決することを目的とする。
【０００９】
【課題を解決するための手段】
上述した目的を達成するために、画像および音声を出力する電子機器において、記録された画像及び音声を再生する再生手段を有する電子機器本体と、
前記電子機器本体に設けられ画像及び音声に対する操作を行う操作手段と、
前記再生手段で再生された画像を表示するための表示手段と、
前記前記電子機器本体または表示手段に設けられた第１、第２の音声出力手段と、
前記電子機器本体に対して前記表示手段を開閉及びヒンジ部を中心として１８０度回転を可能にする２軸の支持手段と、
前記表示手段が電子機器本体に対して収納状態から開かれたことを検出する開閉検出手段
と、
所定角度以上前記表示手段が回転したことを検出する回転検出手段と、
前記開閉検出手段によって前記表示手段が開かれたことを検出した後、
前記回転検出手段によって前記表示手段の回転動作が検出された場合には、前記第１、第２の音声出力手段に対する音声信号の出力先の切換えを制御する制御手段と、
前記回転検出手段によって前記表示手段の回転動作が検出された場合には、前記表示手段の画像の反転表示を行う表示処理手段とを有することを特徴とする構成とした。
【００２３】
【発明の実施の形態】
以下、添付の図面に沿って本発明の実施の形態を説明する。
【００２４】
（第１の実施の形態）
図１は、本発明の電子機器の一実施例であるビデオカメラのブロック図を示す。
【００２５】
カメラ部１は、撮影レンズ１１、オートアイリス１２、ＣＣＤ１３、ＣＤＳ／ＡＧＣ回路１４、Ａ／Ｄ変換器１５、およびカメラ信号処理回路１６からなる。ＣＣＤ１３は、撮影レンズ１１により結像され、オートアイリス１２により光量調整された光学像を電気信号に変換する。
【００２６】
ＣＤＳ／ＡＧＣ回路１４は、ＣＣＤ１３の出力画像信号を二重相関サンプリングし、利得を自動調整しＡ／Ｄ変換器１５でデジタル信号に変換してカメラ信号処理回路１６に印加する。カメラ信号処理回路１６は、ＣＤＳ／ＡＧＣ回路１４の出力信号をγ補正、色バランス調整および輝度／色差変換など周知の処理を施して、レコーダ部２に供給する。
【００２７】
レコーダ部２は、画像信号処理回路２２、記録再生回路２３、および記録媒体２４からなる。画像信号処理回路２２の画像信号は、カメラ部１のカメラ信号処理回路１６からの画像信号にDCT変換、量子化、可変長符号が行われ、さらに画像圧縮処理を含む画像信号処理が施され、記録再生回路２３と表示部３に供給される。再生モードでは、記録再生回路２３からの再生画像信号が表示部３に供給される。
【００２８】
記録再生回路２３は、記録モードでは画像信号処理回路２２からの画像信号を誤り訂正符号を付加しチャネルコーディングを施して記録媒体２４に記録する。再生モードでは、記録再生回路２３は、記録媒体２４から記録信号を再生し、復号化を行いさらに誤り訂正を行ってから再生画像信号を画像信号処理回路２２に供給する。そして圧縮されている画像信号が画像信号処理部２２によって伸長処理される。
【００２９】
表示部３は、液晶表示パネル３１、液晶表示パネル３１を背面から照明する照明光源３２、および照明光源３２を駆動する駆動回路ブロック３３からなる。液晶表示パネル３１は、アスペクト比３：４の通常画面だけではなく、アスペクト比１６：９のワイド画面にも対応可能である。液晶表示パネル３１は、単純マトリクスのＴＮ液晶、ＳＴＮ液晶、ＦＬＣ（強誘電性液晶）、アクティブ・マトリクスのＭＩＭ、アモルファスＳｉ−ＴＦＴ、高温多結晶Ｓｉ−ＴＦＴおよび低温多結晶Ｓｉ−ＴＦＴなどのどれであっても良い。
さらに液晶表示パネル３１の表面に拡散板を設けてもよい。
【００３０】
オーディオ部５は、音声入力用のマイクロフォン４１、音声出力用としてのスピーカ４２、マイクロフォン４７とスピーカ４２の音声信号を処理するオーディオ信号処理回路４３、Ａ／Ｄ変換器４４、Ｄ／Ａ変換器４５、オーディオ入出力変換処理回路４６からなる。マイクロフォン４７は、通常は無指向性マイクロフォンが使われるが、音圧傾度形（両指向性）、中間形（単一指向性）であってもよい。
【００３１】
また、スピーカ部４２に用いられる振動板の動きを電気エネルギーに変換する変換機構としては、出力電圧が振動板の振動速度に比例する動電形（ダイナミック形）と、振動板の振動変位に比例する静電形、圧電形、炭素系などがある。
【００３２】
動電形には、ムービングコイル形とリボン形がある。ムービングコイルは丈夫で取り扱いが簡単、ダイナミックレンジが広く、そして変換効率も高いため一般的にスピーカの主流となっている。また、リボン形は周波数特性がよいが機械的ストレスに弱いという特徴がある。また、静電形には、エレクトレットコンデンサがあり、周波数特性に優れ、バイアス電源が不要であるがインピーダンス変換回路が必要になるという特徴がある。圧電形には、クリスタルがあり、小型軽量で感度がよく、インピーダンスが高いが高温、高湿での特性劣化があるという特徴がある。炭素形には、カーボンがあり、感度がよいが、雑音が多く特性も不安定であるという特徴がある。
【００３３】
スピーカ４２は、ステレオ対応にするため本実施の形態では２つ備えている。本実施の形態におけるスピーカ４２は、ダイナミック形スピーカで、ムービングコイル形とし、構造は磁気回路、ボイスコイル、振動系からなっているものとする。なお、ダイナミック形スピーカの特徴として、簡単な構造であることと、特性、変換効率も高く一般的にスピーカの主流となっている。
【００３４】
システム制御部４１は、ＣＰＵなどのマイコンによって構成され、カメラ部１、レコーダ部２、表示部３、オーディオ部５、回転検出部６を制御する。
【００３５】
回転検出部６は表示部３が所定の角度に回転したことを検出して、システム制御部４１に状況を送り、表示する画像の上下左右の反転処理を画像信号処理部２２に対して命令を行い、さらに画像の反転表示に対応してスピーカ４２の左右の音声出力を交換して切り換える（２種類の音声信号の出力先を互いに入れ替える）。
【００３６】
図２は、液晶パネル３１の回転検出に係わる詳細なブロック図である。
【００３７】
図２において、ヒンジ部５４は液晶パネル３１が装置本体に対し回転可能とするための可動部材である。検出スイッチ５０は、図４（ｂ）の状態から所定角度以上液晶パネル３１が回転したことを検出する回転スイッチ検出部５１と液晶パネル３１を可視状態にするために装置本体に対して収納状態から開いたことを検出する開閉スイッチ検出部５２から構成されている。
【００３８】
システム制御部４１は、液晶パネル３１が回転されたことが検出スイッチ５０により検出された場合、液晶パネル上に表示する画像の上下左右の反転処理を画像信号処理部２２に対して命令を行う。さらに、再生モードの場合、表示する画像の反転表示処理に対応してオーディオ出力部４３に対してスピーカ４２の左右の音声出力を検出スイッチ５０による液晶パネル３１の回転の検出前に対して逆転するように切換える命令を行う。
【００３９】
図３は、システム制御４１の画像および音声の再生動作処理を示すフローチャートである。また、図４は、本実施の形態のビデオカメラの外観図である。図４において、ビデオカメラ本体６０は、撮像画像を表示するための液晶パネル３１をその側面に備えている。そして、液晶パネル３１の両脇には液晶パネルと一体的にスピーカ４２が固定されている。スピーカ４２は、図示のようにLチャンネル（Ｌｅｆｔ）、Ｒチャンネル（Ｒｉｇｈｔ）を有している。また、ステレオマイク４１は、ビデオカメラ本体６０の前面に配置されている。
【００４０】
図３および図４を用いて本実施の形態の画像および音声の再生動作処理を説明する。
【００４１】
はじめに、図４（ａ）に示すように液晶パネル３１は収納状態となっているとする。そして、液晶パネル３１を用いて撮像画像を確認する場合、図４（ｂ）に示すように液晶パネル３１を開く。このとき、画像信号とステレオ音声は通常どおり再生されている（Ｓ１）。
【００４２】
そして、回転検出部６において回転動作が行われているかどうか確認する（Ｓ２）。図４（ｃ）、（ｄ）に示すように、液晶パネル３１の回転動作が行われると、回転検出部６においてその回転動作が検出され、Ｓ３に進む。
【００４３】
液晶パネル３１の回転動作が検出されると、図４（ｄ）、（ｅ）に示すように、その検出に応じてシステム制御部４１は、液晶パネル上に表示する画像の上下左右の反転処理を画像信号処理部２２に対して命令を行う（Ｓ３）。そして、画像の反転表示に同期してオーディオ出力部４３に対してスピーカ４２のＬチャンネルおよびＲチャンネルに対する音声信号の出力先を反対にするように切換える命令を行う（Ｓ４）。
【００４４】
以上説明したように、本実施の形態によれば、液晶パネル３１の反転処理に対応してステレオスピーカの左右の音声出力も反転させており、適切な画像・音声の再生が可能となる。
【００４５】
なお、本実施の形態では記録媒体２４としてテープ状の磁気記録媒体、磁気ディスク、光磁気ディスク、光ディスク、半導体メモリなどにも適用できる。
【００４６】
また、ＤＶＤ（デジタル・ビデオ・ディスク）のビデオソフトを再生する液晶表示モニタが一体になったＤＶＤ再生装置において、画像を表示するための液晶パネルを回転させて、再生装置自体をコンパクトにして再生画像を提示する装置においても本願発明を適用することができる。
【００４７】
図５は、本実施の形態に適用した携帯型のＤＶＤ（デジタル・ビデオ・ディスク）装置の斜視図である。
【００４８】
図５において、収納部（装置本体）７０は、記憶媒体としてのＤＶＤを収納するためのものであり、液晶パネル７１は、ＤＶＤに記録された画像を再生表示するためのものである。ステレオスピーカ（Ｌｅｆｔ、Ｒｉｇｈｔ）７２は、液晶パネル７１に固定されている。ヒンジ部７３は、装置本体に対して液晶パネル７１を開閉および回動可能とする。また、操作ボタン群７４は、画像及び音声の再生・停止・画像の明るさ調節・音量の調節を行うものであり、装置本体７０の前面に配置されている。
【００４９】
図５（ａ）は、本実施の形態のＤＶＤ装置の標準的な再生動作状態を示す図である。ＤＶＤ装置において、図５（ａ）の状態から図５（ｅ）の状態に移行される場合を説明する。まず、図５（ｂ）に示すように、液晶パネル７１を直立させる。次に図５（ｃ）、（ｄ）に示すようにヒンジ部７３を中心として１８０度回転させる。そして、不図示の回転検出部がこの液晶パネル７１の回転を検出すると、図５（ｅ）では、不図示のシステム制御部によって図５（ａ）の状態に対して画像の表示の上下左右の反転処理が行われ、かつこの反転処理に同期してステレオスピーカ７２の左右の音声出力が反転出力される。このような処理によって適切な映像・音声の再生を行うことができ、さらに操作ボタン群７４の操作性を損なうことがない。
【００５０】
（第２の実施の形態）
図６は、ＰＣ本体８０と液晶パネル８１によって構成されるノート型ＰＣ（パーソナルコンピュータ）を本発明の実施の形態に適用した例を示している。
【００５１】
図６において、液晶パネル８１は、ＨＤＤ（ハード・ディスク・ドライブ）あるいはＤＶＤなどに記録された画像を再生表示するためのものである。ステレオスピーカ（Ｌｅｆｔ、Ｒｉｇｈｔ）８２は、液晶パネル８１に固定されている。ヒンジ部８３は、装置本体８０に対して液晶パネル８１を開閉および回動可能とする。８４はキーボード、８５は液晶パネル８１上に表示されるパッドである。
【００５２】
図６（ａ）は、通常のＰＣ８０の使用状態である。図６（ａ）の状態から図６（ｂ）に示すように、液晶パネル８１をヒンジ部８３の軸を中心として矢印の方向に倒すと、不図示の検出部が液晶パネル８１の回動を検出し、対面者（図６（ｂ）の矢印方向）からみて正常な画像になるように上下左右反転し、かつこの画像の反転動作に同期して音声を出力するスピーカ８２のＬ、Ｒが左右反転出力され、画像だけでなく音声についても正常な位置で出力される。
【００５３】
このようなＰＣ８０の形態の場合、例えば、セールスマンがノート型ＰＣ８０を使って対面者に説明する場合、対面者に対して液晶パネルを倒して向けるだけで、対面者側からみて矛盾のない画像と音声を再生出力することができる。
【００５４】
図７は、ノート型ＰＣ（パーソナルコンピュータ）を本実施の形態に適用した他の実施例を示している。図６と共通部分は同一の符号を付しており、その説明は省略する。
【００５５】
図７において、カメラ８６は液晶パネル８１に設置されており、液晶パネルの回転動作とともにカメラの撮影方向が変更する。カメラ画像表示部８７はカメラ８６によって取り込まれている画像を子画面表示する。
【００５６】
図７（ａ）は、通常のＰＣ８０の使用状態である。図７（ａ）の状態から図７（ｂ）に示すように、液晶パネル８１をヒンジ部８３の軸を中心として矢印の方向に倒すと、不図示の検出部が液晶パネル８１の回動を検出し、対面者（図示の方向）からみて正常な画像になるように上下左右反転し、かつこの画像の反転動作に同期して音声を出力するスピーカ８２のＬ、Ｒが左右反転出力され、画像だけでなく音声についても正常な位置で出力される。一方、カメラ８６は、反転動作に連動して画像の取り込みを停止し、天井方向に向けられた状態で画像を取り込むことを避けるように撮像動作を中止する。
【００５７】
図８は、図７に係わるノート型ＰＣ（パソコン）のブロック図を示す。図７と同じ構成は同一の符号を示し、その説明を省略する。
【００５８】
図８において、回転検出部１０６はヒンジ部８３および検出スイッチ１５０から構成される。ヒンジ部８３は液晶パネル８１が装置本体８０に対し開閉動作を可能とするための可動部材である。検出スイッチ１５０は、図７ａの矢印方向の回転動作を検出する。すなわち、検出スイッチ１５０は、液晶パネル８１を装置本体８０に対して収納状態から開き、視認可能となったことを検出する。
【００５９】
システム制御部１４１は、液晶パネル８１が回転されたことを検出スイッチ１５０により検出された場合、液晶パネル８１上に表示する画像の上下左右の反転処理を画像信号処理部１２２に対して命令を行う。さらに、再生モードの場合、表示する画像の反転処理と同様に、検出スイッチ１５０の液晶パネルの検出に応じて、スピーカ８２の左右の音声出力を液晶パネル１３１の回転の検出前と比較して逆転するように切換える命令をオーディオ信号処理部１４３に対して行う。画像信号処理部１２２は、カメラ８６から出力された画像信号のカメラ信号処理（色調整等）を行う。合成回路１９１は、カメラ８６から出力された画像信号とＣＰＵ９６によって処理された表示信号を重畳して表示する。
【００６０】
ＨＤＤ９３には、例えば予め記憶しておいた画像が格納されており、ポインティングデバイス８５、キーボード９４によって指示された画像再生動作に基づいて、ＣＰＵ９６によりこの画像データが表示信号として読み出される。ＲＡＭ９２は、ＨＤＤ９３から読み出された画像データを一時的に記憶するバッファメモリとして機能している。ＨＤＤ９２から読み出された画像データは、ＲＡＭ９２を介して合成回路９１に入力され、ＣＣＤ９０からの画像データと合成され、表示部１３１上で例えばピクチャ・イン・ピクチャのような状態で重畳表示される。
【００６１】
システム制御部１４１は、液晶パネル８１が回転されたことが検出スイッチ１５０により検出された場合、表示部１３１上の表示は、RAM９２から読み出された情報（例えば、ＨＤＤ９３から読み出された画像）のみとし、カメラ８６の撮像動作そのものを停止させ、空あるいは天井が想定される画像を取り込まないようにする。この処理によって見苦しい画像を表示しない、あるいはカメラ８６の撮影動作の停止による省電力効果に寄与することができる。（あるいは他の方法として、カメラの撮像動作を行い、カメラ８６によって撮像された画像の表示のみを禁止する制御を行ってもよい）。
【００６２】
図９は、システム制御４１の画像および音声の再生動作処理を示すフローチャートである。図９において、はじめに、液晶パネル８１の状態は図７の状態であり、画像とステレオ音声が再生されている（Ｓ１０）。そして、カメラ８６の画像を取り込んでいるかどうかを判断する（Ｓ１１）。カメラ８６からの画像が取り込まれている場合、そのカメラ８６からの画像をＨＤＤ９３から読み出された画像信号に合成してカメラ表示部８７上に表示させる（Ｓ１２）。一方、カメラ画像を取り込んでいない場合は合成表示しない。
【００６３】
回転検出部１０６において液晶パネル８１の回転動作が行われているかどうか検出する（Ｓ１３）。
【００６４】
液晶パネル８１の回転動作が検出されると（液晶パネル８１に対して図７（ｂ）に示すような液晶パネル８１の基準位置から所定角度以上の開き動作（回動動作）が行われたことが検出されると）、その検出に応じて、システム制御部１４１は、カメラ８６の画像の取り込みを停止させるとともに（Ｓ１４）、液晶パネル上に表示する画像の上下左右の反転処理を画像信号処理部１２２に行わせる（Ｓ１５）。さらに、オーディオ信号処理部１４３に対してスピーカのＬチャンネルおよびＲチャンネルに対する音声信号の出力先を反対にするように切換える命令を行う（Ｓ１６）。
【００６５】
以上説明したように、本実施の形態によれば、液晶パネル８１の反転処理に対応してステレオスピーカの左右の音声出力も反転させており、適切な画像・音声の再生が可能となる。さらに、液晶パネル８１がＰＣ本体８０に対して所定角度以上の開き動作が行われた場合、カメラ８６によって撮像される画像の表示を禁止（あるいはカメラ８６の撮像動作そのものを停止）するように制御したので、不必要な画像を出すことがなくなり、かつ省電効果を期待できる。
【００６６】
なお、図８に示したフローチャートでは、液晶パネル８１の基準位置から所定角度以上の開き動作（回動動作）が行われたことを検出することによってカメラ８６の撮像動作を停止（あるいは表示部８７におけるカメラ８６の撮像画像の表示を禁止）していたが、液晶パネル８１が回転動作中のときは使用者がカメラの撮像画像を確認するとは考えづらく、また、表示される撮像画像も所望の画像であるとは考えづらい。よって、液晶パネル８１が回転動作中のときにおいてもカメラ８６の撮像動作を停止（あるいは表示部８７におけるカメラ８６の撮像画像の表示を禁止）しても本発明の目的を達成することができる。
【００６７】
なお、図７においては携帯型のパーソナルコンピュータについて説明したが、他に携帯型のテレビ受信機やゲーム機など、画像を表示する表示部が回転可能な電子機器に適用可能である。
【００６８】
本発明は、一例として、前述した実施形態の機能を実現するソフトウェアのプログラムコードを、インターネットなどのネットワークを介して本発明の電子機器に供給し、撮像装置のコンピュータ（またはＣＰＵやＭＰＵ）が記憶媒体に格納されたプログラムコードを読み出し実行することによって達成できる。
【００６９】
この場合、記憶媒体から読み出されたプログラムコード自体が前述した実施形態のシステム制御部４１、１４１の機能を実現することになり、そのプログラムコードを記憶した記憶媒体は本発明を構成することになる。
【００７０】
プログラムコードを供給するための記憶媒体としては、例えば、フロッピーディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００７１】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部または全部を行い、その処理によって前述した実施形態の機能が実現される場合も含まれる。
【００７２】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示にもとづき、その機能拡張ボードや機能拡張ユニットに備わるＣＰＵなどが実際の処理の一部または全部を行い、その処理によって前述した実施形態の機能が実現される。
【００７３】
本発明を上記記憶媒体に適用する場合、その記憶媒体には、先に説明したフローチャートに対応するプログラムコードを格納することになるが、簡単に説明すると、本発明の撮像装置に不可欠なモジュールを、記憶媒体に格納することになる。
【００７４】
【発明の効果】
以上説明したように、本願発明によれば、表示装置が回転したときの画像の反転表示処理に対応してステレオスピーカの音声の左右の出力も反転させているので、あらゆる装置の再生形態においても表示される画像と音声出力とを常に適切に再生することが可能な電子機器を提供することができる。
【図面の簡単な説明】
【図１】本実施の形態のビデオカメラのブロック図。
【図２】本実施の形態のビデオカメラにおける画像・音声の再生処理を行うための部分ブロック図。
【図３】本実施の形態のビデオカメラの再生動作処理を示すフローチャート。
【図４】本実施の形態のビデオカメラの斜視図。
【図５】本実施の形態のＤＶＤ装置の斜視図。
【図６】本実施の形態のノート型ＰＣの斜視図。
【図７】本実施の形態のノート型ＰＣの斜視図。
【図８】本実施の形態のノート型ＰＣの画像・音声の再生処理を行うための部分ブロック図。
【図９】本実施の形態のノート型ＰＣの再生動作処理を示すフローチャート。
【符号の説明】
６  回転検出部
２２  画像信号処理部
３１  液晶パネル
４１  マイクロフォン
４２  ステレオスピーカ
【図１】
0003689639.tif 000002
【図２】
0003689639.tif 000003
【図３】
0003689639.tif 000004
【図４】
0003689639.tif 000005
【図５】
0003689639.tif 000006
【図６】
0003689639.tif 000007
【図７】
0003689639.tif 000008
【図８】
0003689639.tif 000009
【図９】
0003689639.tif 000010